(57)【要約】【課題】携帯電話端末装置の使用者のマイキャラクター画像が、使用者の性格や最近の心理状態、癖等を表現するように次第に変化していく、非常にアミューズメント性の高い携帯電話メールにおけるマイキャラクター使用装置及び使用方法を提供すること。【解決手段】携帯電話端末装置１０に、マイキャラクター画像と、複数の性格表現言葉が予め分類された性格表現言葉テーブル２０とを格納しておき、携帯電話端末装置１０から文字メッセージとマイキャラクター画像とを電子メールで送信する際に、送信された文字メッセージ内に含まれる言葉から性格表現言葉テーブル２０中の言葉を検出してその検出回数を性格表現言葉テーブル２０中の分類別に積算し、その積算値に基づいてマイキャラクター画像の各部分を修正する。【選択図】      図２
2007265092.tif 000002
【特許請求の範囲】
【請求項１】
マイキャラクター画像を記録するためのマイキャラクター画像記録部と、
少なくとも文字メッセージと上記マイキャラクター画像とを電子メールで送受信することができる送受信部と、
複数の性格表現言葉が予め分類して格納された性格表現言葉テーブルと、
上記送受信部から送信された電子メールの文字メッセージ内に含まれる言葉から上記性格表現言葉テーブル中の言葉を検出して、その検出回数を上記性格表現言葉テーブル中の分類別に積算する検出回数積算手段と、
上記検出回数積算手段により上記性格表現言葉テーブル中の分類別に積算された値に基づいて上記マイキャラクター画像の各部分を修正するマイキャラクター画像修正手段、
とが設けられていることを特徴とする携帯電話メールにおけるマイキャラクター使用装置。
【請求項２】
上記マイキャラクター画像修正手段が、上記検出回数積算手段により上記性格表現言葉テーブル中の分類別に積算された値に対応して上記マイキャラクター画像の顔の各部分を修正する請求項１記載の携帯電話メールにおけるマイキャラクター使用装置。
【請求項３】
上記マイキャラクター画像修正手段が、上記検出回数積算手段により上記性格表現言葉テーブル中の分類別に積算された値に対応してさらに上記マイキャラクター画像の衣服の色を修正する請求項２記載の携帯電話メールにおけるマイキャラクター使用装置。
【請求項４】
上記マイキャラクター画像修正手段が、上記マイキャラクター画像記録部に記録されているマイキャラクター画像を修正して上記マイキャラクター画像記録部に上書き記録する請求項１、２又は３記載の携帯電話メールにおけるマイキャラクター使用装置。
【請求項５】
マイキャラクター画像を記録するためのマイキャラクター画像記録部と、
少なくとも文字メッセージと上記マイキャラクター画像とを電子メールで送受信するための送受信部と、
複数の性格表現言葉が予め分類して格納された性格表現言葉テーブルと、
上記送受信部から送信された電子メールの文字メッセージ内に含まれる言葉から上記性格表現言葉テーブル中の言葉を検出して、その検出回数を上記性格表現言葉テーブル中の分類別に積算する検出回数積算手段と、
上記検出回数積算手段により上記性格表現言葉テーブル中の分類別に積算された値に基づいて上記マイキャラクター画像の各部分を修正するための画像修正データを上記マイキャラクター画像の属性データとして作成するマイキャラクター画像修正データ作成手段、とが設けられていて、
上記マイキャラクター画像がその属性データと共に上記送受信部から電子メールで送信されると、その電子メールを受信した側において、受信されたマイキャラクター画像が上記画像修正データに基づいて修正されて表示されることを特徴とする携帯電話メールにおけるマイキャラクター使用装置。
【請求項６】
他の携帯電話端末装置のマイキャラクター画像であるユアキャラクター画像を記録するためのユアキャラクター画像記録部が設けられていて、上記ユアキャラクター画像記録部に記録されているユアキャラクター画像が、上記他の携帯電話端末装置から受信した電子メールに含まれる上記画像修正データに基づいて修正される請求項５記載の携帯電話メールにおけるマイキャラクター使用装置。
【請求項７】
上記マイキャラクター画像修正データ作成手段が、上記検出回数積算手段により上記性格表現言葉テーブル中の分類別に積算された値に対応して上記マイキャラクター画像の顔の各部分を修正するためのデータを作成する請求項５又は６記載の携帯電話メールにおけるマイキャラクター使用装置。
【請求項８】
上記マイキャラクター画像修正手段が、上記検出回数積算手段により上記性格表現言葉テーブル中の分類別に積算された値に対応してさらに上記マイキャラクター画像の衣服の色を修正する請求項７記載の携帯電話メールにおけるマイキャラクター使用装置。
【請求項９】
上記マイキャラクター画像の各部分別の修正が、上記性格表現言葉テーブル中の各分類毎の積算検出回数にさらに上記各分類によって相違する影響度を加味して行われる請求項１ないし８のいずれかの項に記載の携帯電話メールにおけるマイキャラクター使用装置。
【請求項１０】
上記性格表現言葉テーブルには、複数の性格表現言葉が、人の性格、感情、癖等の類否に基づいて区分けされて分類されている請求項１ないし９のいずれかの項に記載の携帯電話メールにおけるマイキャラクター使用装置。
【請求項１１】
携帯電話端末装置に、マイキャラクター画像と、複数の性格表現言葉が予め分類された性格表現言葉テーブルとを格納しておき、上記携帯電話端末装置から文字メッセージと上記マイキャラクター画像とを電子メールで送信する際に、送信された文字メッセージ内に含まれる言葉から上記性格表現言葉テーブル中の言葉を検出してその検出回数を上記性格表現言葉テーブル中の分類別に積算し、その積算値に基づいて上記マイキャラクター画像の各部分を修正することを特徴とする携帯電話メールにおけるマイキャラクター使用方法。
【請求項１２】
上記マイキャラクター画像の各部分別の修正が、上記性格表現言葉テーブル中の各分類毎の積算検出回数にさらに上記各分類によって相違する影響度を加味して行われる請求項１１記載の携帯電話メールにおけるマイキャラクター使用方法。
【発明の詳細な説明】
【技術分野】
【０００１】
この発明は携帯電話メールにおけるマイキャラクター使用装置及び使用方法に関する。
【背景技術】
【０００２】
携帯電話端末装置を利用した通信では、音声、文字だけでなく、画像の送受信も行われ、絵文字、顔文字といった単純なものだけでなく、アニメーション提供サーバーから任意のアニメーション映像等をダウンロードして、それを自分専用のマイキャラクター画像として電子メールで送受信することができるようになっている（例えば、特許文献１）。
【０００３】
しかし、アニメーション提供サーバーから任意のアニメーション映像等をダウンロードしてマイキャラクター画像にしても、それに変化を与えられないとアミューズメント性が低いので、電子メールでマイキャラクター画像と共に送られる文字メッセージの内容に合わせてマイキャラクター画像の表情等が変わるようにしたもの等がある（例えば、特許文献２）。
【特許文献１】特開２００４−１７１２１７
【特許文献２】特開２００５−１１５８９６
【発明の開示】
【発明が解決しようとする課題】
【０００４】
特許文献２に記載された発明では、一回毎の電子メールの内容が悲しいものであればその電子メールで送られるマイキャラクター画像の表情が悲しそうになり、怒りの電子メールであればマイキャラクター画像の表情も怒ったものになる。しかし、それは、受信者が文字メッセージを読む前に送信者の意図等を予め察知することができるようにするものでしかなく、マイキャラクター画像でその使用者の性格や最近の精神状態、癖等を表現することはできない。
【０００５】
そこで本発明は、携帯電話端末装置の使用者のマイキャラクター画像が、使用者の性格や最近の精神状態、癖等を表現するように次第に変化していく、非常にアミューズメント性の高い携帯電話メールにおけるマイキャラクター使用装置及び使用方法を提供することを目的とする。
【課題を解決するための手段】
【０００６】
上記の目的を達成するため、本発明の携帯電話メールにおけるマイキャラクター使用装置は、マイキャラクター画像を記録するためのマイキャラクター画像記録部と、少なくとも文字メッセージとマイキャラクター画像とを電子メールで送受信することができる送受信部と、複数の性格表現言葉が予め分類して格納された性格表現言葉テーブルと、送受信部から送信された電子メールの文字メッセージ内に含まれる言葉から性格表現言葉テーブル中の言葉を検出して、その検出回数を性格表現言葉テーブル中の分類別に積算する検出回数積算手段と、検出回数積算手段により性格表現言葉テーブル中の分類別に積算された値に基づいてマイキャラクター画像の各部分を修正するマイキャラクター画像修正手段、とが設けられているものである。
【０００７】
なお、マイキャラクター画像修正手段が、検出回数積算手段により性格表現言葉テーブル中の分類別に積算された値に対応してマイキャラクター画像の顔の各部分を修正するものであってもよく、さらに、マイキャラクター画像修正手段が、検出回数積算手段により性格表現言葉テーブル中の分類別に積算された値に対応してさらにマイキャラクター画像の衣服の色を修正するものであってもよい。そして、マイキャラクター画像修正手段が、マイキャラクター画像記録部に記録されているマイキャラクター画像を修正してマイキャラクター画像記録部に上書き記録するようにしてもよい。
【０００８】
また、本発明の携帯電話メールにおけるマイキャラクター使用装置は、マイキャラクター画像を記録するためのマイキャラクター画像記録部と、少なくとも文字メッセージとマイキャラクター画像とを電子メールで送受信するための送受信部と、複数の性格表現言葉が予め分類して格納された性格表現言葉テーブルと、送受信部から送信された電子メールの文字メッセージ内に含まれる言葉から性格表現言葉テーブル中の言葉を検出して、その検出回数を性格表現言葉テーブル中の分類別に積算する検出回数積算手段と、検出回数積算手段により性格表現言葉テーブル中の分類別に積算された値に基づいてマイキャラクター画像の各部分を修正するための画像修正データをマイキャラクター画像の属性データとして作成するマイキャラクター画像修正データ作成手段、とが設けられていて、マイキャラクター画像がその属性データと共に送受信部から電子メールで送信されると、その電子メールを受信した側において、受信されたマイキャラクター画像が画像修正データに基づいて修正されて表示されるものであってもよい。
【０００９】
その場合、他の携帯電話端末装置のマイキャラクター画像であるユアキャラクター画像を記録するためのユアキャラクター画像記録部が設けられていて、ユアキャラクター画像記録部に記録されているユアキャラクター画像が、他の携帯電話端末装置から受信した電子メールに含まれる画像修正データに基づいて修正されるようにしてもよい。
【００１０】
また、マイキャラクター画像修正データ作成手段が、検出回数積算手段により性格表現言葉テーブル中の分類別に積算された値に対応してマイキャラクター画像の顔の各部分を修正するためのデータを作成するようにしてもよく、マイキャラクター画像修正手段が、検出回数積算手段により性格表現言葉テーブル中の分類別に積算された値に対応してさらにマイキャラクター画像の衣服の色を修正するようにしてもよい。
【００１１】
なお、マイキャラクター画像の各部分別の修正が、性格表現言葉テーブル中の各分類毎の積算検出回数にさらに各分類によって相違する影響度を加味して行われるものであってもよく、性格表現言葉テーブルには、複数の性格表現言葉が、人の性格、感情、癖等の類否に基づいて区分けされて分類されているとよい。
【００１２】
また、本発明の携帯電話メールにおけるマイキャラクター使用方法は、携帯電話端末装置に、マイキャラクター画像と、複数の性格表現言葉が予め分類された性格表現言葉テーブルとを格納しておき、携帯電話端末装置から文字メッセージとマイキャラクター画像とを電子メールで送信する際に、送信された文字メッセージ内に含まれる言葉から性格表現言葉テーブル中の言葉を検出してその検出回数を性格表現言葉テーブル中の分類別に積算し、その積算値に基づいてマイキャラクター画像の各部分を修正するようにしたものであり、マイキャラクター画像の各部分別の修正が、性格表現言葉テーブル中の各分類毎の積算検出回数にさらに各分類によって相違する影響度を加味して行われるようにしてもよい。
【発明の効果】
【００１３】
本発明によれば、携帯電話端末装置から文字メッセージとマイキャラクター画像とを電子メールで送信する際に、送信された電子メールの文字メッセージ内に含まれる言葉から性格表現言葉テーブル中の言葉を検出してその検出回数を性格表現言葉テーブル中の分類別に積算し、その積算値に基づいてマイキャラクター画像の各部分が修正されることにより、携帯電話端末装置の使用者のマイキャラクター画像が、使用者の性格や最近の精神状態、癖等を表現するように次第に変化するので、非常に高いアミューズメント性を得ることができる。
【発明を実施するための最良の形態】
【００１４】
図面を参照して本発明の実施の形態を説明する。
図１は、本発明の携帯電話端末装置１０の構成を略示しており、音声を出力するスピーカー１１、音声を入力するためのマイクロフォン１２、文字や画像等を表示するためのカラーの液晶ディスプレイ装置等からなる表示部１３、操作者が指先で各種の入力操作を行うための入力キー１４、スピーカー１１やマイクロフォン１２への信号の入出力処理等を行うための信号処理部１５、アンテナ１６を介して無線電波を送受信するための送受信部１７、それら各部分の動作制御を司るＣＰＵ（中央演算装置）等を内蔵する制御部１８、及び音声、文字及び画像等を含む各種の情報を記録（格納）するためのメモリ１９等が配置されている。メモリ１９にはＲＡＭ、ＲＯＭ等が含まれている。この携帯電話端末装置１０は、ネットワークを介して他の携帯電話端末装置１０や図示されていないサーバー等と接続することができ、文字、音声及び次に説明するマイキャラクター画像等の画像を送受信可能な電子メール機能を有している。
【００１５】
メモリ１９には、マイキャラクター画像が記録されるマイキャラクター画像記録部が設けられている。なお、本発明において「キャラクター」とは、現存する物語の登場人物等に限定されず、人間又は動物の少なくとも顔を含む姿形という程度の広い範囲のものをいい、「マイキャラクター」とは、特定の携帯電話端末装置１０のメモリ１９に、あたかもその携帯電話端末装置１０の属性であるかのごとく記録（格納）されたキャラクターをいい、マイキャラクター画像は、図示されていないサーバー等から取得することができる。ただし、携帯電話端末装置１０に付設されたカメラ（図示せず）で取り込めるようにしても差し支えない。
【００１６】
なお、携帯電話端末装置１０のメモリ１９に記録されたマイキャラクター画像は、音声信号（即ち、音声の再生）に合わせて少なくとも口の部分が動くように表示される機能を有している。そのような技術は公知なので（例えばＵＳＰ６６６１４１８や特開２００５−１１５８９６等）、その部分についての説明は省略する。
【００１７】
本発明のマイキャラクター画像は、文字メッセージ等と共に携帯電話端末装置１０から他の携帯電話端末装置１０へ電子メールで送受信することができ、その電子メールの文字メッセージ内に含まれる性格表現言葉の使用積算回数に対応して、マイキャラクター画像が次第に変化していくようになっている。
【００１８】
図２は、そのマイキャラクター画像の修正を行うために携帯電話端末装置１０で実行されるソフトウェアの内容を略示するフロー図である。Ｓは処理ステップを示しており、この処理は、文字メッセージが電子メールで送信された時にスタートし、まず、文字メッセージの読み込みを行って（Ｓ１）、その文字メッセージ全文のチェックが終了したら処理を終了し（Ｓ２）、チェックが終了していない場合には、予め準備されている性格表現言葉テーブル中の言葉が文字メッセージ中に含まれているかどうかを判定する（Ｓ３）。
【００１９】
図３は、メモリ１９のＲＯＭに格納された性格表現言葉テーブル２０の内容の一例を示している。性格表現言葉テーブル２０には、複数の性格表現言葉が、例えば「朗らか・喜び」、「へそ曲がり」、「怒りっぽい・イライラ」、「しょんぼり・落ち込み」、「驚き」、「さみしい・悲しい」等のような人の性格、感情、癖等の類否に基づいた分類により区分けされ、各分類にあてはまる例えば「サンキュー」、「アホ」、「イヤ」等のような性格表現言葉が、図３に例示されるように各分類毎に予め格納されている。また、各分類毎に含まれる性格表現言葉の積算検出回数Ｃ１，Ｃ２，…を記録するためのカウンター２０ｃが、メモリ１９のヘッダに設けられている。
【００２０】
図２に戻って、Ｓ３で性格表現言葉テーブル２０中に格納されている性格表現言葉が検出されたら、その言葉が含まれる分類のカウンター値（積算検出回数）を＋１する（Ｓ４）。例えば、「サンキュー」という言葉が検出されたら「朗らか・喜び」の分類のカウンター値Ｃ１を＋１し、「イヤ」という言葉が検出されたら「怒りっぽい・イライラ」の分類のカウンター値Ｃ３を＋１する。
【００２１】
そして、その増加したカウンター値が予め規定した所定値に達したかどうかを判定して、所定値に達していない場合にはＳ２から繰り返す（Ｓ５）。この時、所定値が「１」であればＳ２へ戻ることなく常に次のＳ６に進むが、所定値の値が大きければＳ２から何度も繰り返された後にＳ６に進むことになる。
【００２２】
Ｓ４で＋１されたカウンター値がＳ５で予め規定した所定値に達した場合には、その値に基づいてマイキャラクター画像の顔の各部分を修正してメモリ１９に上書き記録する（Ｓ６）。具体的には、マイキャラクター画像の例えば、目、口、眉、鼻、…というような顔の各部分の形と位置を部分別に、性格表現言葉テーブル２０中の分類別に積算された値に対応して画像修正してＳ２へ戻る。なお、修正が行われた場合に、性格表現言葉テーブル２０のカウンター値Ｃ１…をそのままにしてもよいが、リセットしてゼロに戻すような処理を行ってもよい。
【００２３】
図４〜図８はマイキャラクター画像修正の結果を例示しており、例えば図４に示される標準のマイキャラクター画像の顔が、「朗らか・喜び」のカウンター値Ｃ１が増えた場合には図５に示されるように明るい表情になり、「へそ曲がり」のカウンター値Ｃ２が増えた場合には図６に示されるように舌を出した表情になり、「怒りっぽい・イライラ」のカウンター値Ｃ３が増えた場合には図７に示されるようにきつい表情になり、「しょんぼり・落ち込み」のカウンター値Ｃ４が増えた場合には図８に示されるように元気のない表情になるように顔の各部分を修正する。
【００２４】
ただし、そのような変化が一気に行われるのではなく、「朗らか・喜び」の場合の表情変化の例が図９〜図１１に示されるように、積算検出回数（カウンター値Ｃ１）が増大するにつれて段階を追って次第に表情が変わっていくように、顔の各部分毎の形や位置等を変化させるのがよい。また、Ｓ６の処理において、顔の各部分の修正に加えて、さらにマイキャラクター画像の衣服の色を、性格表現言葉テーブル２０のカウンター２０ｃの各カウンター値Ｃ１，Ｃ２，…に対応して変化させるようにしてもよい。
【００２５】
なお、目、口、眉、鼻、…等のような顔の各部分の形や位置の修正や衣服の色の修正等は、性格表現言葉テーブル２０中の一つの分類の積算検出回数（カウンター値）によって決められるのではなく、性格表現言葉テーブル２０中の複数の各分類毎の積算検出回数（カウンター値Ｃ１，Ｃ２，…）に基づいて行われる。例えば、目の形については、「朗らか・喜び」の分類のカウンター値Ｃ１が大きくなれば次第に細くてたれ下がった目になるが、「怒りっぽい・イライラ」の分類のカウンター値Ｃ３が大きくなると逆につり上がってくる。したがって、「朗らか・喜び」の分類のカウンター値Ｃ１が「怒りっぽい・イライラ」の分類のカウンター値Ｃ３より大きい時は目尻が下がり、「怒りっぽい・イライラ」の分類のカウンター値Ｃ３が「朗らか・喜び」の分類のカウンター値Ｃ１より大きい時は目がつり上がるように徐々に変化する。
【００２６】
また、そのような顔の各部分の形や位置の修正及び衣服の色の修正等を行うにあたって、性格表現言葉テーブル２０中の各分類毎の積算検出回数（カウンター値Ｃ１，Ｃ２，…）に単純に対応するのではなく、さらに性格表現言葉テーブル２０中の各分類別によって相違する影響度（重み付け）を加味して画像修正をするとよい。
【００２７】
図１２は、そのような重み付け処理を行う際のＳ５とＳ６の処理内容を例示しており、Ｓ６において、例えば「目の形」については、「朗らか・喜び」のカウンター値Ｃ１の係数ａが「へそ曲がり」のカウンター値Ｃ２の係数ｂよりはるかに大きく、「怒りっぽい・イライラ」のカウンター値Ｃ３の係数ｃは「朗らか・喜び」のカウンター値Ｃ１の係数ａとは正負が逆、等のごとく、顔の各部分の形と位置等に対して各性格表現言葉テーブル２０中の各分類別の影響度に応じて各カウンター値Ｃ１，Ｃ２，…の係数ａ，ｂ，…を設定し、（係数）×（カウンター値）の総和の値から各部分の形と位置又は色等を決める。図１３は、その重み付けの係数値を例示する図表である。
【００２８】
そして、このようにした場合には、Ｓ５の処理において、「カウンター値が所定値になったか？」を判定するのに代えて、図１２に示されるように、「マイキャラクター画像の各部分のどこかが修正すべき変化値になったか？」を判定するようにするとよい。
【００２９】
このようにして、携帯電話端末装置１０の属性であるかのごとくメモリ１９に記録（格納）されたマイキャラクター画像の表情や衣服の色等が、その携帯電話端末装置１０から送信された電子メールの文字メッセージの内容に対応して、使用者の性格や最近の精神状態、癖等を表現するように次第に変化していくので、非常に高いアミューズメント性を得ることができる。
【００３０】
なお、Ｓ６の処理において、メモリ１９に記録されているマイキャラクター画像を修正せずに、マイキャラクター画像の顔の各部分を修正するための画像修正データをマイキャラクター画像の属性データとして作成して、マイキャラクター画像がその属性データと共に送受信部１７から電子メールで送信されるようにしてもよい。その場合には、電子メールを受信した携帯電話端末装置１０において、受信されたマイキャラクター画像がその属性データに含まれる画像修正データに基づいて修正されて表示される。
【００３１】
また、他の携帯電話端末装置１０のマイキャラクター画像であるユアキャラクター画像を、他の携帯電話端末装置１０の電話番号又はメールアドレス等と共に関連付けて記録するためのユアキャラクター画像記録部がメモリ１９に設けられている場合には、そのユアキャラクター画像記録部に記録されているユアキャラクター画像が、他の携帯電話端末装置１０から受信した電子メールに含まれる画像修正データに基づいて修正されるようにしてもよい。その場合には、送信側の携帯電話端末装置１０からマイキャラクター画像を送信する必要がない。
【図面の簡単な説明】
【００３２】
【図１】本発明の実施の形態の携帯電話端末装置の構成図である。
【図２】本発明の実施の形態においてマイキャラクター画像修正の際に実行されるソフトウェアの内容を略示するフロー図である。
【図３】本発明の実施の形態の性格表現言葉テーブルの内容を示す略示図である。
【図４】本発明の実施の形態のマイキャラクター画像の一例を示す略示図である。
【図５】本発明の実施の形態のマイキャラクター画像の変化の一例を示す略示図である。
【図６】本発明の実施の形態のマイキャラクター画像の変化の一例を示す略示図である。
【図７】本発明の実施の形態のマイキャラクター画像の変化の一例を示す略示図である。
【図８】本発明の実施の形態のマイキャラクター画像の変化の一例を示す略示図である。
【図９】本発明の実施の形態のマイキャラクター画像の変化の段階を順に示す略示図である。
【図１０】本発明の実施の形態のマイキャラクター画像の変化の段階を順に示す略示図である。
【図１１】本発明の実施の形態のマイキャラクター画像の変化の段階を順に示す略示図である。
【図１２】本発明の実施の形態のマイキャラクター画像の各部分別の変化のさせ方の処理の他の例を示す部分フロー図である。
【図１３】本発明の実施の形態のマイキャラクター画像を各部分別に変化させる際のカウンター値別の影響度（重み付け）の係数を例示する図表である。
【符号の説明】
【００３３】
１０  携帯電話端末装置
１３  表示部
１７  送受信部
１８  制御部
１９  メモリ
２０  性格表現言葉テーブル
２０ｃ  カウンター
Ｃ１，Ｃ２，…  カウンター値
【図１】
2007265092.tif 000003
【図２】
2007265092.tif 000004
【図３】
2007265092.tif 000005
【図４】
2007265092.tif 000006
【図５】
2007265092.tif 000007
【図６】
2007265092.tif 000008
【図７】
2007265092.tif 000009
【図８】
2007265092.tif 000010
【図９】
2007265092.tif 000011
【図１０】
2007265092.tif 000012
【図１１】
2007265092.tif 000013
【図１２】
2007265092.tif 000014
【図１３】
2007265092.tif 000015